(57)【特許請求の範囲】
【請求項１】
柔軟な合成樹脂シートで形成した容器本体の周面に容器本体を形成する前記合成樹脂シートより硬い板体を添設固定すると共に、前記板体は前記用器本体の高さの中程の折り畳み部を隔てて設けた上側板体と下側板体からなり、前記上側板体と下側板体は薄肉の連結部を設けて一体に形成したことを特徴とする釣用バケツ。
【請求項２】
前記板体は前記容器本体の角部に達していることを特徴とする請求項１記載の釣り用バケツ。
【請求項３】
前記板体はハンドル止着部を有していることを特徴とする請求項１または２記載の釣り用バケツ。
【発明の詳細な説明】
【０００１】
【発明の属する技術分野】
本発明は、撒餌杓の中にコマセを押圧容易な板体を設けた釣用バケツの改良に関する。
【０００２】
【従来の技術】
従来の釣用バケツは柔軟性を有する合成樹脂シ−トの各所を溶着して容器本体を形成しており、持ち運び中は折り畳むことができる。
また、使用するときは、自立するように容器状に広げて、その中で撒き餌を作成したり、撒餌杓で掬った餌を容器内壁に押圧して撒き餌を団子状に固めていた。
しかし、撒餌杓で掬った餌を容器内壁に押圧して固めるためには、釣り用バケツの周壁は柔らかすぎておもうように押圧出来なかった。
【０００３】
このため、例えば、特開２００１−８６９１３号公報のように容器本体開口にコマセ切りボ−ドを着脱自在にぶら下げて容器本体内に沿ってコマセ切りボ−ドを設けた釣り用バケツが紹介されている。
この釣り用バケツによれば、合成樹脂シ−トに直接押圧するよりも撒餌杓で掬った餌をコマセ切りボ−ドに押圧して固めやすくなるが、釣り用バケツの周壁とコマセ切りボ−ドの間に隙間が出来てしまい、一体感がなく、さらに、釣り用バケツの周壁とコマセ切りボ−ドの間の隙間に撒き餌が入り込んでしまうため十分に押圧出来ないのが実情である。
さらに、この様な釣り用バケツでは、折り畳み時にコマセ切りボ−ドを外さなければならず、ボ−ドの洗浄も面倒であった。
【０００４】
また、特許第２９７５９５２号公報には、容器本体開口を閉塞する蓋体を開いて周壁の外側に当てがうことで、撒餌杓で掬った餌を押圧出来るようにした釣り用バケツが紹介されている。
しかし、この釣り用バケツの周壁の外側に当てがわれた蓋体は周壁の下方のみであり容器内に撒き餌を入れられていると、蓋体があてがわれた部分が埋まってしまい、上方の周壁の外側には隙間が出来ているため、餌の押圧作業が出来なかった。
【０００５】
【発明が解決しようとする課題】
解決しようとする問題点は、柔軟性を有する合成樹脂シ−トの各所を溶着して容器本体を形成し、持ち運び中は折り畳むことができる釣用バケツでは、撒餌杓で掬った餌を容器内壁に押圧して撒き餌を団子状に固めることが出来ない。
特開２００１−８６９１３号公報の釣り用バケツでは、合成樹脂シ−トに直接押圧するよりも撒餌杓で掬った餌をコマセ切りボ−ドに押圧して固めやすくなるが、釣り用バケツの周壁とコマセ切りボ−ドの間に隙間が出来てしまい、一体感がなく、さらに、釣り用バケツの周壁とコマセ切りボ−ドの間の隙間に撒き餌が入り込んでしまうため十分に押圧出来ないのが実情である。
【０００６】
特許第２９７５９５２号公報の釣り用バケツの周壁の外側に当てがわれた蓋体は周壁の下方のみであり容器内に撒き餌を入れられていると、蓋体があてがわれた部分が埋まってしまい、上方の周壁の外側には隙間が出来ているため、餌の押圧作業が出来なかったことである。
【０００７】
本発明の目的は前記欠点に鑑み、容器本体の周面と板体が添設固定されて動かないので、撒餌杓で掬った餌を容器周面に充分押圧して固めることができる釣用バケツを提供することである。
【０００８】
【課題を解決するための手段】
上記課題を解決するために、
請求項１に係わる本発明は、柔軟な合成樹脂シ−トで形成した容器本体の周面の少なくとも上方側に容器本体を形成する前記合成樹脂シ−トより硬い板体を添設固定したことを要旨とするものである。
請求項２に係わる本発明は、前記板体を添設固定した容器本体の周面は折り畳み可能であることを要旨とするものである。
請求項３に係わる本発明は、前記板体は容器本体の角部に達していることを要旨とするものである。
請求項４に係わる本発明は、前記板体はハンドル止着部を有していることを要旨とするものである。
【０００９】
【発明の実施の形態】
請求項１の本発明により、容器本体１の周面１ｂに板体７、７′や板体３の板体部３ｂを添設固定して撒餌杓８で掬った餌を容器周面１ｂに充分押圧して固めることができる。
また、板体７、７′を取り外す必要が無く、持ち運びも容易である。
請求項２の本発明により、板体７、７′はコ−ナ−補強部７ｃ、７ｃが形成されて容器本体１の角部に達して固定されているので、撒餌杓８で掬った餌を容器周面１ｂに押圧して固めても容器本体１がつぶれにくいため、充分押圧して固めることができる。
請求項３の本発明により、板体３、３はハンドル止着部３ａ、３ａを有しているため、別にハンドル止着部を設ける必要が無くコストが削減でき合理的である。
また、容器本体１周辺の突出が少なくなる。
【００１０】
【実施例】
以下、本発明の実施例を図面に基づき説明すると、図１から図５は第１実施例で、図１は釣用バケツの斜視図、図２は釣用バケツの正面図、図３は釣用バケツの要部断面側面図と一部拡大断面側面図、図４はバケツ本体の一部と板体の断面平面図、図５は釣用バケツの断面正面図である。
【００１１】
釣用バケツは容器本体１の上方の開口１ａが蓋体２で閉塞可能で、容器本体１の正面と裏面の両周面１ｂに板体３、３が固定されて板体３、３のハンドル止着部３ａ、３ａにハンドル４、４が回動して起立及び倒伏可能に取り付けられている。
容器本体１と蓋体２は、例えばエチレン酢酸ビニ−ル等の合成樹脂製シ−トで形成され防水性と柔軟性を有している。
容器本体１は周囲の周面１ｂの一側と他側が重ねられて高周波溶着等で溶着固定され、周面１ｂの下端に底面１ｃの周囲が高周波溶着等で溶着固定されて直方体に形成されている。
容器本体１の周囲の周面１ｂの開口縁には係止チャック５の一方の帯布が縫着されて他方の帯布は蓋体２に縫着されている。
容器本体１は高さの中程の２点鎖線ａ位置で折り畳み可能に形成されている。
【００１２】
板体３は例えばエチレン酢酸ビニ−ル等の合成樹脂製で容器本体１のシ−ト材より大きな厚味を有して硬く、下方に向けて凸字形を有する板体部３ｂの上部側面両側にハンドル止着部３ａ、３ａが形成され、板体部３ｂの下側に容器本体１の周方向に形成され、これに沿って折曲可能な薄肉の連結部３ｃを挟んで下側板体部３ｄが形成されている。
連結部３ｃの高さは容器本体１の高さの中間で、折り畳み可能な２点鎖線ａ位置と一致している。
ハンドル止着部３ａ、３ａには、透孔３ｅが形成されている。
板体部３ｂと下側板体部３ｄは容器本体１と異種の材料を用いて硬度を高くしてもよい。
板体３の容器本体１の上方側に形成された板体部３ｂは少なくとも容器本体１の上方側の１／２以上の上下幅を有している。
【００１３】
ハンドル４は、例えばエチレン酢酸ビニ−ル等の合成樹脂製でＵ字状をしており、柔軟性を有しながら、容器本体１の開口側に倒伏したり、上方側へ起立させた時でも真下に垂れ下がることなく、少なくとも形状が保持される程度の硬さを有している。
形状は握り部４ａと杆部４ｂ、４ｂとでＵ字状に形成され、杆部４ｂ、４ｂの先に蛇腹部４ｃ、４ｃと蛇腹部４ｃ、４ｃの先にル−プ部４ｄ、４ｄが形成されている。
ル−プ部４ｄ、４ｄは板体３のハンドル止着部３ａ、３ａの透孔３ｅ、３ｅに挿入されてル−プ部４ｄ、４ｄは鋲６で固定されている。
【００１４】
容器本体１の左右の両周面１ｂの外側上下に板体７、７′が夫々固定されている。
板体７、７′は例えばエチレン酢酸ビニ−ル等の合成樹脂製で平板部７ａの内側に複数のリブ７ｂが形成され容器本体１のシ−ト材より大きな剛性を有し、硬く形成されると共に両端に湾曲したコ−ナ−補強部７ｃ、７ｃが形成されている。
板体７、７′に容器本体１と異種の材料を用いて硬度を高くしてもよい。
【００１５】
このように釣用バケツが構成されて保管や釣り場に携帯する時は、容器本体１の開口１ａ上方にハンドル４、４を水平に倒伏させると共に２点鎖線ａ位置で折り畳んで携帯される。
釣り場でハンドル４、４を握って移動する時は、ハンドル４、４を起立させて握り部４ａを握って移動する。
図５のように、釣用バケツの中に撒き餌を入れて撒餌杓８で掬い出す時は蓋体２を開き、撒餌杓８を挿し込んで掬い上げる。
この時、掬い上げた撒き餌は板体７、７′や板体３の板体部３ｂの内側の容器本体１の周面１ｂに押し当てて撒餌杓８の中に固める。
左右の両周面１ｂの外側の板体は、容器本体１の上方側の上側板体７と容器本体１の高さの中程の折り畳み部（２点鎖線ａ）を隔ててこれと一対の下側板体７′から成っており、上側板体７は容器本体１の上方側の高さの１／２以上の上下幅（容器本体１の１／４以上の上下幅）を有している。
【００１６】
前記のように釣用バケツが構成されると、容器本体１の周面１ｂに板体７、７′や板体３の板体部３ｂを添設固定して撒餌杓８で掬った餌を容器周面１ｂに充分押圧して固めることができる。
板体７、７′を取り外す必要が無く、持ち運びも容易である。
板体７、７′はコ−ナ−補強部７ｃ、７ｃが形成されて容器本体１の角部に達して固定されているので、撒餌杓８で掬った餌を容器周面１ｂに押圧して固めても容器本体１がつぶれにくいため、充分押圧して固めることができる。
板体３、３はハンドル止着部３ａ、３ａを有しているため、別にハンドル止着部を設ける必要が無くコストが削減でき合理的である。
また、容器本体１周辺の突出が少なくなる。
【００１７】
図６は第２実施例で、図６はバケツ本体の一部と板体の断面平面図である。
【００１８】
第２実施例では、第１実施例と同様に容器本体１の左右の両周面１ｂの外側上下に板体９が夫々固定され、板体９は例えばエチレン酢酸ビニ−ル等の合成樹脂製シ−ト９′で平板部９ａの内側に合成樹脂板や金属板１０が埋設されると共に両端に湾曲したコ−ナ−補強部９ｂ、９ｂが形成されている。
他の構成は前記第１実施例と略同一である。
尚、合成樹脂製シ−ト９′は容器本体１の合成樹脂製シ−トと同じかこれより厚いものがよいが、合成樹脂板や金属板１０が固定できればこれより薄くても良い。
【００１９】
前記説明では、板体７、７′を上下に２分割したが、薄肉の連結部で上下を一体に形成してもよい。
前記説明では、板体７、７′を容器本体１の左右の両周面１ｂの外側上下に固定したが、容器本体１の左右の両周面１ｂの内側上下に固定してもよい。
さらに、内側に薄肉の連結部で上下を一体に形成して固定してもよい。
前記説明では、ハンドル止着部３ａ、３ａを有する板体３、３の板体部３ｂと下側板体部３ｄは薄肉の連結部３ｃで一体に形成されたが、板体部３ｂと下側板体部３ｄは別体に形成して固定してもよい。
【００２０】
【発明の効果】
本発明は、容器本体の周面に板体を添設固定して撒餌杓で掬った餌を容器周面に充分押圧して固めることができる。
【図面の簡単な説明】
【図１】第１実施例で、釣用バケツの斜視図である。
【図２】同釣用バケツの正面図である。
【図３】同釣用バケツの要部断面側面図と一部拡大断面側面図である。
【図４】同バケツ本体の一部と板体の断面平面図である。
【図５】同釣用バケツの断面正面図である。
【図６】第２実施例で、バケツ本体の一部と板体の断面平面図である。
【符号の説明】
１  容器本体
１ｂ  周面
３、７、７′、９  板体
３ａ  ハンドル止着部
４  ハンドル
【図１】
0004018359.tif 000002
【図２】
0004018359.tif 000003
【図３】
0004018359.tif 000004
【図４】
0004018359.tif 000005
【図５】
0004018359.tif 000006
【図６】
0004018359.tif 000007